(57)【要約】【課題】    棟散水本体内に収容させることで外観的に優れるとともに、積雪地域においても、屋根材に積雪した雪を効率よく融雪させることができる散水装置および散水方法を提供すること。【解決手段】  本発明の散水装置は、屋根の最上部に載せられる棟散水本体の内部空洞部に散水管を収容させるとともに、前記空洞部に断熱材を充填したことを特徴とする。  また前記散水管に、雨水を貯水する貯水タンクと連結する給水管を装着するとともに、該給水管に、貯水タンクを内の雨水を汲み上げる給水ポンプを備えた。  本発明の散水方法は、雨水を貯蔵した貯水タンクを加熱し、加熱した雨水を散水管に給水し、かかる雨水を屋根材上に散水することを特徴とする。【選択図】図１
2013167142.tif 000002
【特許請求の範囲】
【請求項１】
屋根の最上部に載せられる棟散水本体の内部の空洞部に散水管を収容させるとともに、前記空洞部に断熱材を充填したことを特徴とする散水装置。
【請求項２】
前記散水管に、雨水を貯水する貯水タンクと連結する給水管を装着するとともに、該給水管に、貯水タンク内の雨水を汲み上げる給水ポンプを備えた請求項１記載の散水装置。
【請求項３】
前記貯水タンクに、深夜電力及び温水で行うヒートポンプを配設した請求項１または２に記載の散水装置。
【請求項４】
前記棟散水本体の表面にカバー材を被覆した請求項１乃至３のうちいずれか１項に記載の散水装置。
【請求項５】
雨水を貯蔵した貯水タンクを加熱し、加熱した雨水を散水管に給水し、かかる雨水を屋根材上に散水することを特徴とする散水方法。
【発明の詳細な説明】
【技術分野】
【０００１】  本発明は、棟散水本体内に収容させることで外観的に優れるとともに、積雪地域においてもより効率よく屋根に散水することができる散水装置および散水方法に関する。
【背景技術】
【０００２】  一般的に、屋根材の上に水を噴きかける屋根散水装置は、屋根上に配置される散水管と、散水管に複数装着された散水ノズルからなり、水道から給水された水を散水ノズルから屋根上に散水する。【０００３】  しかしながら、従来の屋根散水装置は、散水管がむき出しのままであるため、美観的に問題が生じるとともに、屋根に余分な負荷をかけることで損傷を与える欠点があった。【０００４】  それらの問題を解消するために、建物の美観や防水性を損なうことのない屋根散水装置がある（例えば、特許文献１参照）。【０００５】  上掲特許文献１の屋根散水装置は、建物の屋根棟部に沿って設置される散水用配管から屋根面に散水する屋根散水装置であって、散水用配管からの水を屋根面の略全面に渡って分散可能であり、且つ、前記配管が設置された屋根棟部を防水状態にして覆う棟カバーを有してなることを特徴としている。
今までの棟（棟瓦）は、左右の瓦端を結ぶだけの役物であった。しかし、棟散水は屋根の表面温度を変えるための水インフラを建築設備としての役割を持つ事を特徴としている。標準化する事で、夏場のヒートアイランド現象の減少と冬場の融雪が計画的に可能になる。また雪下での転落死や熱中症対策になる。
【先行技術文献】
【特許文献】
【０００６】
【特許文献１】特開２００１−２４１１５１号公報
【発明が解決しようとする課題】
【０００７】  しかしながら上掲特許文献１の屋根散水装置は、寒冷地域においては、散水用配管内の水が凍り屋根上に散水することができないという問題が生じた。そのため積雪時、屋根上の雪を融雪することが不可能であった。
【０００８】  そこで本発明は、上記した従来技術の問題点を解消し、棟散水本体内に収容させることで外観的に優れるとともに、積雪地域においても、屋根材に積雪した雪を効率よく融雪させることができる散水装置および散水方法を提供することにある。
【課題を解決するための手段】
【０００９】  上記課題を解決するために、本発明の散水装置は、屋根の最上部に載せられる棟散水本体の内部の空洞部に散水管を収容させるとともに、前記空洞部に断熱材を充填したことを特徴とする。
【００１０】  また前記散水管に、雨水を貯水する貯水タンクと連結する給水管を装着するとともに、該給水管に、貯水タンク内の雨水を汲み上げる給水ポンプを備えた。
【００１１】  また、前記貯水タンクに深夜電力及び温水で行うヒートポンプを配設した。
【００１２】  さらに、前記棟散水本体の表面にカバー材を被覆した。
【００１３】  本発明の散水方法は、雨水を貯蔵した貯水タンクを加熱し、加熱した雨水を散水管に給水し、かかる雨水を屋根材上に散水することを特徴とする。
【発明の効果】
【００１４】  屋根の最上部に載せられる棟散水本体の内部の空洞部に散水管を収容させることで、外観面においても美観を損なうことがない。また、地震対策として内部配管との継はフレキシブルが特によい。
【００１５】  また棟散水本体の空洞部に断熱材を充填したことにより、散水管内の水が凍ることないため、積雪地域においても、屋根材に積雪した雪を効率よく融雪させることができる。
【００１６】  また雨水を貯蔵した貯水タンクを加熱し、加熱した雨水を散水管に給水し、かかる雨水を屋根材上に散水することにより、雨水の循環利用やコスト削減ができ、地球環境にも優れた効果を発揮できる。
【図面の簡単な説明】
【００１７】
【図１】本発明の散水装置の全体図である。
【図２】他の好適例である散水装置の全体図である。
【図３】本発明における散水装置の使用状態の断面図である。
【発明を実施するための最良の手段】
【００１８】  以下、本発明における散水装置の実施の形態を図面に基づいて説明する。
本発明の散水装置は、屋根の最上部に設置される棟散水本体内に収容させることで外観的に優れるとともに、積雪地域においても、屋根材に積雪した雪を効率よく融雪させることを特徴とするものである。
【００１９】  前記散水装置１は、屋根の最上部に載せられる棟散水本体２０の内部の空洞部２１に散水管２を収容させるとともに、前記空洞部２１に断熱材２２を充填したことを特徴とする。
【００２０】  本発明の散水装置１は、前記棟散水本体２０の内部の空洞部２１に配設される散水管２と、散水管２に装着された複数のノズル３と、散水管２に連結されたフレキシブルの給水管４とからなる。また特に、前記散水管２と棟散水本体２０の空洞部２１との隙間には断熱材２２が収容されている。
【００２１】  前記断熱材２２は、降雪時、散水管２内の水が凍らないように寒気から散水管２を断熱するもので、例えば、散水管２の周囲に巻回されるロックウールや、空洞部２１に充填するウレタン等が挙げられる。
【００２２】  また前記散水管２には、給水管３が連結されており、給水管３の基端には、貯水タンク１０内の水を汲み上げる給水ポンプ５が装着されている。また前記貯水タンク１０内には雨水ａが貯水されている。
【００２３】  また前記貯水タンク１０には、屋根の樋から集水された雨水や、融雪した雪融水を貯水タンク１０内に送り込む竪樋６が具備されている。
【００２４】  また、前記貯水タンク１０の内側にはヒートポンプ熱源１１が配設されている。ヒートポンプ熱源１１はガスや深夜電力等の電気で加熱した温水をヒートポンプ熱源１１内に送水することで、貯水タンク１０を加熱することができる。また、地中の温泉水を送水することでも同様の効果が得られる。前記貯水タンク１０にヒートポンプ熱源１１を配設することで、散水管２に温水を送水することができ、極寒時においても屋根上に積雪した雪をより一層効率よく融雪することができる。
【００２５】  また、前記棟散水本体２０の立上り部分には、防水材２４の取付が容易な工夫を施す。また特に、前記棟散水本体２０の上面にカバー材２６を被覆し劣化の防止をしてもよい。前記カバー材２６はさまざまなデザインが施されるが、特に好ましくは瓦模様のデザインが好適に使用される。
【００２６】  また本発明の散水装置は、図１に示す屋根の最上部の棟散水本体２０に具備されるに限らず、図２に示すように、二階建ての家屋においては、二階のフロア２７の壁面間に散水管２を配置させ、壁面間に断熱材２２を収容させることもできる。この際、雨押散水本体２９の上面には水切り材２８を被覆することが好ましい。また前記雨押散水本体２９の下方には、コーキングを打ち易くするためのコーキング溝２５が施されている。なお、図中ｃは取付枠であり、２６は化粧棟である。また前記化粧棟２６を瓦の種類に合わせ取付できるようにし、瓦との一体感と散水棟本体の劣化を防ぐ。
【００２７】  図３は、本発明の散水装置１により、屋根上に積雪した雪ｂを融雪する状態を示す斜視図である。
【００２８】  次に、本発明の散水装置における散水方法の詳細を説明する。
本発明の散水方法は、雨水ａを貯蔵した貯水タンク１０を加熱し、加熱した雨水ａを散水管２に給水し、給水された雨水ａを屋根材上に散水することを特徴とする。
【００２９】  上述の方法により、降雪時においても散水用の水が凍り付くことがなく、屋根上に積もった雪を効率よく融雪することができ、雪下ろしの重労働を軽減できるとともに、雪下ろし作業の際に生じる落下事故等を未然に防ぐことができる。
【００３０】  また本発明の散水方法によれば、自然に降る雨を循環させて散水することで、自然環境にも好適に貢献することができる。なお本発明の散水方法においては、冬季以外で、降雨の少ない時期においては、汎用の水道水を利用できることは言うまでもない。
【符号の説明】
【００３１】１    散水装置
２    散水管
３    ノズル
４    給水管
５    給水ポンプ
６    竪樋
１０  貯水タンク
１１  ヒートポンプ
２０  棟散水本体
２１  空洞部
２２  断熱材
２３  屋根下地
２４  防水材
２５  コーキング溝
２６  化粧棟
２７  二階フロア
２８  水切り材
２９  雨押散水本体
ａ    雨水
ｂ    雪
ｃ    取付枠
【図１】
2013167142.tif 000003
【図２】
2013167142.tif 000004
【図３】
2013167142.tif 000005